(57)【要約】【課題】消費電力の軽減に最適な電子機器の提供。【解決手段】本発明は、カードリーダに電力を供給する電力供給手段を備えた電子機器を前提とする。そして、本発明の電子機器は、検知手段と、電力供給制御手段を備える。検知手段は、カードリーダへのカードの挿入・排出を検知し、電力供給制御手段は、検知手段がカードの挿入を検知すると、電力供給手段に、カードリーダへの電力供給を開始させる。そして、電力供給制御手段は、検知手段が、挿入されたカードの排出を検知すると、電力供給手段に、カードリーダへの電力供給を遮断させることを特徴とする。【選択図】図６
2010183258.tif 000002
【特許請求の範囲】
【請求項１】
カードリーダに電力を供給する電力供給手段を備えた電子機器において、
前記カードリーダへのカードの挿入・排出を検知する検知手段と、
前記検知手段がカードの挿入を検知すると、前記電力供給手段に、前記カードリーダへの電力供給を開始させ、前記検知手段が、挿入されたカードの排出を検知すると、前記電力供給手段に、前記カードリーダへの電力供給を遮断させる電力供給制御手段を備えることを特徴とする電子機器。
【請求項２】
前記電力供給制御手段が、前記検知手段がカードの挿入を検知すると、前記電子機器を、消費電力を抑えたスリープ状態から機能提供可能なアクティブ状態へ切り替え、前記検知手段が挿入されたカードの排出を検知すると、当該電子機器をアクティブ状態からスリープ状態へ切り換える請求項１に記載の電子機器。
【請求項３】
前記電子機器は、画像形成装置である請求項１から３いずれか一項記載の電子機器。
【発明の詳細な説明】
【技術分野】
【０００１】
本発明は、カードリーダに電力を供給することが可能な電子機器に関し、特に消費電力の軽減に最適な電子機器である。
【背景技術】
【０００２】
現在電子機器一般に消費電力の軽減が要請されており、当該電子機器（例えば画像形成装置）にカードリーダを備えた場合も消費電力の軽減が要請されている。カードリーダはカードリーダの規格によりＵＳＢで接続される必要があるので、カードリーダの消費電力を軽減するためには、ＵＳＢからの電力を軽減する必要がある。特許文献１には、消費電力の軽減のために、省電力スタンバイ状態に移行出来る画像形成装置が開示されている。
【先行技術文献】
【特許文献】
【０００３】
【特許文献１】特開２００５−２７８１１０
【発明の概要】
【発明が解決しようとする課題】
【０００４】
しかし、上記従来技術の画像形成装置にＵＳＢ接続を介してカードリーダを設けた場合には、カードが挿入されたか否かを常に検知できるように、カードリーダを常にＯＮ（通電状態）にする必要がある。モータ等の電源をＯＦＦにできるとしても、カードリーダへの電源はＯＦＦにできない。よって、従来の画像形成装置にカードリーダを設けた場合には、カードリーダの消費電力分を軽減することはできない。
【０００５】
上記ＵＳＢを介して電力の供給を受けるカードリーダに流れる電流は約５０ｍＡであり、カードリーダが使用される頻度が低ければ、使用頻度の低いカードリーダのために常に電源をＯＮにしておく必要があるのは、消費電力の軽減の観点から問題となっていた。したがって、カードリーダを使用しない場合（カードの検知待ち時間）にはカードリーダの電力を軽減させることができる、画像形成装置が要請されていた。
【課題を解決するための手段】
【０００６】
上記課題を達成するための本発明は、カードリーダに電力を供給する電力供給手段を備えた電子機器を前提とする。そして、本発明の電子機器は、検知手段と、電力供給制御手段を備える。検知手段は、カードリーダへのカードの挿入・排出を検知し、電力供給制御手段は、検知手段がカードの挿入を検知すると、電力供給手段に、カードリーダへの電力供給を開始させる。そして、電力供給制御手段は、検知手段が、挿入されたカードの排出を検知すると、電力供給手段に、カードリーダへの電力供給を遮断させることを特徴とする。
【０００７】
上記の構成において、検知手段がカードの挿入を検知すると、電子機器を、消費電力を抑えたスリープ状態から機能提供可能なアクティブ状態へ切り替え、検知手段が、挿入されたカードの排出を検知すると、電子機器をアクティブ状態からスリープ状態へ切り換える状態切替手段をさらに備えることが望ましい。
【０００８】
上記の構成であれば、カードリーダの検知手段がカードの挿入を検知した場合に、状態切替手段が電子機器の電力供給手段からの電力供給の遮断を解除するので、電力供給手段からの電力供給が遮断されていた（スリープ状態）としても、カードリーダにカードが挿入される際に、カードリーダにＵＳＢを介して電力を供給できるので、カードリーダが使用されない場合にカードリーダへＵＳＢを介した電力の供給を行う必要が無い。
【０００９】
また、検知手段がカードリーダへのカードの接触を検知し、当該検知手段がカードの接触を検知すると、電力供給制御手段が電力供給手段に、カードリーダへの電力供給を開始させる構成としてもよい。
【００１０】
上記の構成において、電子機器が画像形成装置であると、カードリーダを備えた画像形成装置であっても、当該カードリーダに電力供給手段からの電力を供給しない状態で、画像形成装置をスリープ状態にすることができる。
【発明の効果】
【００１１】
本発明のカードリーダに電力を供給することが可能な電子機器によると、カードリーダへの通電を遮断した状態で、電子機器をスリープ状態にできる。更に、カードリーダが使用される場合に、電子機器をスリープ状態から復帰させて、カードリーダを通電させることができる。したがって、少なくとも、カードリーダにＵＳＢを介して電力を供給する分の消費電流分（約５０ｍＡ）を軽減することができる。
【図面の簡単な説明】
【００１２】
【図１】本発明の実施形態に係る電子機器（画像形成装置）の全体構成を示す図である。
【図２】本発明の実施形態に係る電子機器（画像形成装置）の読取部の構成を示す図である。
【図３】本発明の実施形態に係る電子機器（画像形成装置）の制御系ハードウェアの構成を示す図である。
【図４】本発明の実施形態に係る電子機器（画像形成装置）の操作部を示す図である。
【図５】本発明の実施形態に係る電子機器（画像形成装置）に設けるカードリーダを示す図である。
【図６】本発明の実施形態に係る電子機器（画像形成装置）の機能ブロック図である。
【図７】本発明の実施形態に係る電子機器（画像形成装置）のスリープ状態からの復帰処理のフローチャートである。
【図８】本発明の実施形態に係る電子機器（画像形成装置）に設けるカードリーダの他の形態を示す図である。
【発明を実施するための形態】
【００１３】
（画像形成装置）
以下に、本発明の電子機器の一例として画像形成装置における基本的なコピーサービスの処理を説明する。本発明の実施形態に係る画像形成装置は、プリンタ、コピー、スキャナ、ファックス等を備えた複合機、デジタル複写機、プリンタ等が該当し、コピーサービス、スキャナサービス、ファクシミリサービス、プリンタサービス等を備えた画像形成装置として機能する。図１は、複合機の概略模式図である。ただし、本発明に直接には関係しない各部の詳細は省略している。
【００１４】
ユーザが複合機１００を利用して例えば原稿の印刷を行う場合、原稿を図１に示す原稿台１０３、或いは載置台１０５に配置し、原稿台１０３近傍に備えられた操作部４００に対して印刷の指示を行う。当該指示があると、以下に示す各部（駆動部）が動作することで、印刷が行われる。
【００１５】
即ち、図１に示すように、本実施の形態の複合機１００は、本体１０１と、本体１０１の上方に取り付けられたプラテンカバー１０２を備える。本体１０１の上面は原稿台１０３が設けられており、原稿台１０３は、プラテンカバー１０２によって開閉されるようになっている。プラテンカバー１０２は、自動原稿給紙装置１０４と載置台１０５と排紙台１０９が設けられている。
【００１６】
原稿台１０３の下方には、読取部１１０が設けられており、図２にその詳細が示されている。読取部１１０は、原稿台１０３を照射する主走査方向に長い光源１１１と、原稿台からの光を選択的に通過させるスリット１１６と、原稿台からの光を導くミラー１１２とを備える第一の移動キャリッジ１１７や、第一の移動キャリッジ１１７からの反射光を再度反射するミラー１１３Ａ、１１３Ｂを備える第二の移動キャリッジ１１８、さらにミラーで導かれた光を光学的に補正するレンズ群１１９、当該レンズ群１１９より補正された光を受光する撮像素子１１５、撮像素子１１５にて受光した光を電気信号に変換し、必要に応じて補正・修正などを行う画像データ生成部１１４とで構成されている。
【００１７】
自動原稿給紙装置１０４上の原稿を読み取る場合には、光源１１１は、読取位置Ｐを照射できる位置に移動して発光する。光源１１１からの光は、原稿台１０３を透過して読取位置Ｐを通過する原稿にて反射し、スリット１１６、ミラー１１２、１１３Ａ、１１３Ｂ、レンズ群１１９によって撮像素子１１５に導かれる。撮像素子１１５は、受光した光を電気信号に変換して画像データ生成部１１４に送信する。画像データ生成部１１４には、上記撮像素子１１５にて受光された光がＲ（レッド）、Ｇ（グリーン）、Ｂ（ブルー）のアナログ電気信号として入力され、ここでアナログ−デジタル変換され、即ちデジタル化される。さらに、画像データ生成部１１４では、順次変換されたデジタル信号を単位データとし、これら単位データを補正、修正等することで複数の単位データからなる画像データを生成する。
【００１８】
また、読取部１１０が原稿台１０３に載置された原稿を読み取る場合は、第一のキャリッジ１１７は、光源１１１を発光しながら副走査方向に移動し、光源１１１から撮像素子１１５までの光路長を一定にするために、第二の移動キャリッジ１１８は第一の移動キャリッジ１１７の１／２の速度で撮像素子１１５方向に移動する。
【００１９】
撮像素子１１５は、ミラー１１２、１１３Ａ、１１３Ｂに導かれた光に基づいて原稿台１０３に載置された原稿からの光を電気信号に変換し、これに基づいて画像データ生成部１１４が画像データを生成する。
【００２０】
本体１０１の読取部１１０の下方には、画像データを印刷する印刷部１２０を備えている。印刷部１２０が印刷できる画像は、上記のように画像データ生成部１１４にて生成されたものや、複合機１００に接続された通信ケーブル２０１を介して、ネットワーク２０２から画像形成の指示とともに送信される場合もある。
【００２１】
印刷部１２０が行う印刷方式には、電子写真方式が用いられている。即ち、感光ドラム１２１を帯電器１２２で一様に帯電させ、その後レーザ１２３で感光ドラム１２１を照射して感光ドラム１２１に潜像を形成し、現像器１２４で潜像にトナーを付着させて可視像を形成し、転写ローラにて可視像を用紙に転写する方式である。
【００２２】
可視像が印刷される用紙は、手差しトレイ１３１、給紙カセット１３２、１３３、１３４などの給紙トレイに載置されたものである。
【００２３】
印刷部１２０が印刷を行う際には、何れか１つの給紙トレイから用紙１枚を、ピックアップローラ１３５を用いて引き出し、引き出した用紙を搬送ローラ１３７やレジストローラ１３８で中間転写ベルト１２５Ａと転写ローラ１２５Ｂの間に送り込む。用紙を引き出す場合、手差しトレイ１３１に載置された用紙を、手差しトレイ用ピックアップローラ１３６を用いて引き出しても構わない。
【００２４】
印刷部１２０は、中間転写ベルト１２５Ａと転写ローラ１２５Ｂの間に送り込んだ用紙に、上記中間転写ベルト１２５Ａ上の可視像を転写すると、可視像を定着させるために、搬送ベルト１２６で定着装置１２７に用紙を送る。定着装置１２７は、ヒータが内蔵された加熱ローラ１２８と、所定の圧力で加熱ローラ１２８に押し当てられた加圧ローラ１２９とで構成されている。加熱ローラ１２８と加圧ローラ１２９の間を用紙が通過すると、熱と用紙への押圧力によって可視像が用紙に定着する。印刷部１２０は、定着装置１２７を通過した用紙を排紙トレイ１３０に排紙する。
【００２５】
以上が、複合機１００における基本的なコピーサービスの処理である。なお、複合機１００は、上述した各部（読取部１１０、印刷部１２０）を適宜協働的に動作することによって、他の機能、例えば、ファクシミリ送受信機能、プリント機能、スキャン機能、後処理機能、メモリ機能等をユーザに提供する。本発明に係る画像形成装置は、電力供給手段で後述するカードリーダに電力を供給することが可能であり、画像形成装置の備えた上記カードリーダによりユーザを認識する。
【００２６】
次に、図３を用いて、複合機１００の制御系ハードウェアの構成を説明する。図３は、当該複合機１００における制御系ハードウェアの概略構成図である。ただし、本発明に直接には関係しない各部の詳細は省略している。
【００２７】
複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。上記ＣＰＵ３０１は、例えば、ＲＡＭ３０３を作業領域として利用し、上記ＲＯＭ３０２、ＨＤＤ３０４等に記憶されているプログラムを実行し、当該実行結果に基づいて上記ドライバ３０５と操作部４００からのデータ、指示を授受し、上記図１、２に示した各駆動部等の動作を制御する。カードリーダ５００は、ＵＳＢにより上記複合機の制御回路に接続されている。
【００２８】
図４は、複合機１００に備えられた操作部４００の外観の一例を示す図である。ユーザは、上記操作部４００を用いて、上述のような機能提供についての設定条件等を入力する。設定条件の入力、各サービスの実行開始等が行なわれる際に、上記操作部４００に備えられたタッチパネル４０１、タッチペン４０２、操作キー４０３が用いられる。
【００２９】
（カードリーダ）
次に本発明のカードリーダについて上記図１から図４及び図５、図６を参照しながら、説明する。図５は、本発明で使用するカードリーダ５００及び検知手段５０１の構造を示す図であり、図６は本発明の複合機１００の機能ブロック図である。
【００３０】
複合機１００はＵＳＢポートを有し、カードリーダ５００は、当該ＵＳＢ端子からＵＳＢケーブルを介して複合機１００の電力供給手段６０９に接続される。当該電力供給手段６０９からカードリーダ５００へ電力を供給する。カードリーダ５００は、複合機１００にＵＳＢ接続されるのであれば、任意の場所に設置できるが、例えば、本実施の形態の複合機１００には、読取部１１０の下方で、排紙トレイ１４０上方にＵＳＢポート（図示しない）があり、当該ＵＳＢポートとカードリーダ５００のＵＳＢ端子（図示しない）間とがＵＳＢケーブルを介してＵＳＢ接続され、複合機１００の上記電力供給手段６０９から電力が供給される。
【００３１】
図５（Ａ）はカードリーダ５００の要部の構成の模式的横断平面図であり、図５（Ｂ）はカードリーダ５００の要部の構成の模式的縦断側面図である。本発明のカードリーダ５００は例えば樹脂により形成され、矩形の本体ケース１には、ＩＣカード等のカードＣの挿入及び排出を行うカード挿入口５１１と、カード収容部５１０が形成されている。
【００３２】
このカード収容部５１０は、当該カード収容部５１０の前方の挿入口５１１につながり、そして、当該挿入口５１１の付近には、例えばスイッチ５０１を設け、当該スイッチ５０１を後述の検知手段６０１に信号線５１４で接続する。図５（Ａ）に示すように、スイッチ５０１は、例えば、挿入されるカードＣが横手方向（挿入方向と直交する方向）へ押し付けられるとＯＮ（閉）すると共に離れるとＯＦＦ（開）するように構成できる。図６に示すように、カードＣの挿入によりスイッチ５０１がＯＮすると、スイッチ５０１は検知手段６０１にＯＮ信号を送信することで、検知手段６０１が、カードＣの挿入を検知する。上記検知手段６０１の動作により電力供給制御手段６０３が複合機１００の電力供給手段６０９にカードリーダ５００への電力供給を開始させて、カードリーダ５００にＵＳＢケーブルを介して電力が供給される状態（通電状態）となるように構成されている。
【００３３】
スリープ状態では検知手段６０１をスタンバイ状態にしておき、上記のように、カードＣの挿入によりスイッチ５０１がＯＮすることにより、スタンバイ状態の検知手段６０１が起動して、カードＣの挿入を検知する構成でもよい。
【００３４】
（スリープ状態からの復帰処理）
次に本発明の画像形成装置のスリープ状態からの復帰処理について上記図１から図６及び図７を参照しながら、説明する。図７は、本発明の複合機１００のスリープ状態からの復帰処理を示すフローチャートである。
【００３５】
本発明の複合機１００は、カードＣに記憶されたユーザＩＤと後述のユーザＩＤテーブルに基づいてユーザを認証し、コピー等のジョブが終了した場合にカードＣを返却してユーザの認証を解除する。ユーザを認証することをログインすると称し、ユーザの認証を解除することをログアウトすると称する。
【００３６】
カードリーダ５００にカードＣが挿入されていない場合は、複合機１００の電力供給手段６０９から当該複合機１００への電力の供給は電力供給制御手段６０４により一部遮断されて消費電力を抑えた状態であり、ＵＳＢケーブルを介したカードリーダ５００への電力供給も遮断される。上記消費電力を抑えた状態をスリープ状態という。上記スリープ状態では、ＣＰＵなどの回路基板を駆動する程度の比較的少ない電力は供給されるが、モータなどの各駆動部を駆動する電力は遮断される（図７：Ｓ１０１ＮＯ）。
【００３７】
スリープ状態の複合機１００のカードリーダ５００にユーザがカードＣを挿入すると、上記のように、カードリーダ５００のスイッチ５０１が、カードＣにより押し付けられることでＯＮされて、複合機１００の検知手段６０１にスイッチ５０１がＯＮされた旨を通知することにより、検知手段６０１がカードＣの挿入を検知する（図７：Ｓ１０１ＹＥＳ）。そして、カードＣの挿入を検知した検知手段６０１が電力供給制御手段６０４に当該旨を通知する。
【００３８】
上記通知を受けて、電力供給制御手段６０４は電力供給手段６０９にカードリーダ５００への電力供給をさせる旨指示する。当該指示を受けて、電力供給手段６０９は、カードリーダ５００への電力供給を開始する。すなわち、電力供給手段６０９からＵＳＢケーブルを介してカードリーダ５００に電力が供給され、カードリーダ５００が通電状態となり、カードリーダ５００の搬送手段５０２、カード位置確認手段５０３、読取手段５０４が起動するように構成されている
上記のように、カードＣの挿入を検知した検知手段６０１が電力供給制御手段６０４に当該旨を通知し、これを受けて、電力供給制御手段６０４は、複合機１００の動作状態をスリープ状態から機能提供可能な状態に切り替える。すなわち、電力供給手段６０９からの電力の供給を開始させ、複合機１００の画像形成手段６０８（モータなどの駆動部）に電力が供給される。複合機１００に上記電力供給手段６０９からの電力が供給された状態をアクティブ状態という。当該アクティブ状態では、複合機１００の機能提供が可能となり、認証手段６１０とユーザＩＤテーブル記憶手段６０６も起動し、操作部４００が操作可能状態となる（図７：Ｓ１０２→Ｓ１０３）。
【００３９】
上記のように、電力供給手段６０９から電力の供給を受けて、カードリーダ５００に備えられた上記搬送手段５０２がカードＣをカード収容部５１０に完全に挿入し、スイッチ５０１がＯＦＦ（開）となる。（図７：Ｓ１０４）。
【００４０】
上記のように、カードリーダ５００のカード収容部５１０にカードＣが完全に挿入されて検知手段がＯＦＦ（開）になると、カード位置確認手段５０３が、カードＣが所定の位置に配置されたことを確認し、認証手段６１０にその旨を通知する。当該通知を受けて、認証手段６１０は、カードＣに記憶されたユーザＩＤと、後述するユーザＩＤテーブル記憶手段６０６に記憶されたユーザＩＤテーブルとに基づいてユーザを認証する。
【００４１】
まず、カードリーダ５００の読取手段５０４がカードＣに記憶されたユーザＩＤを取得し、取得したユーザＩＤを認証手段６１０に通知する。認証手段６１０は、上記ユーザＩＤがユーザＩＤテーブル記憶手段６０６に記憶されたユーザＩＤテーブル（図示せず）のユーザＩＤに一致すると判別すると、ユーザを認証する。なお、ユーザＩＤの他、操作部４００からパスワードを入力させることによって、認証手段６１０が当該パスワードを取得し、取得したパスワードと記憶手段６０８に記憶されたパスワードが一致するかも判断した上でユーザを認証する構成とすることもできる（図７：Ｓ１０５ＹＥＳ）。
【００４２】
上記のようにユーザが認証されると、コピー等の操作（ジョブ）を行うことができる（図７：Ｓ１０６）。画像形成手段６０８が、コピー等の操作（ジョブ）を終え、ユーザが操作部４００のログアウトキー４１０を押下すると、認証手段６１０が、ログアウトを受け付ける。（図７：Ｓ１０７ＹＥＳ）。
【００４３】
認証手段６１０がログアウトを受け付けると、当該認証手段６１０がカードリーダ５００の搬送手段５０２にカードＣを排出する旨指示する。当該指示を受けて搬送手段５０２は、カードＣを排出する。このとき、上記カードＣの挿入と逆の手順で、スイッチ５０１がカードＣに押し付けられることで、スイッチ５０１がＯＮとなる。その後、ユーザによりカードＣが抜き取られてスイッチ５０１がＯＦＦとなる。このスイッチ５０１の動作を受けて、検知手段６０１はカードＣの排出を検知する（図７：Ｓ１０８）。
【００４４】
上記のように、カードＣの排出を検知すると、検知手段６０１は、電力供給制御手段６０４にカードＣが排出された旨通知し、これを受けて、電力供給制御手段６０４は、電力供給手段６０９にカードリーダ５００への電力供給を遮断させる旨指示する。当該指示を受けて、電力供給手段６０９は、カードリーダ５００への電力供給を遮断する。
【００４５】
更に、上記のように、カードＣの排出を検知すると、検知手段６０１は、電力供給制御手段６０４に当該旨を通知し、これを受けて電力供給制御手段６０４は、複合機１００の電力供給手段６０９の電力供給を一部遮断することで、複合機１００の動作状態をアクティブ状態からスリープ状態に切り替える（図７：Ｓ１０９→Ｓ１１０）。
【００４６】
一方、上記ステップＳ１０６で、カードＣの認証が出来ない場合、操作部４００のタッチパネルにカードＣが認証できない旨の表示を行い、複合機１００をスリープ状態に切り替える。例えば、カードＣが不正カードであるような場合には、搬送手段５０２はカードＣを排出する。そして、上記と同様に、電力供給制御手段６０４がカードリーダ５００への電力供給手段６０９からの電力の供給を遮断し、更に、電力供給制御手段６０４が電力供給手段６０９に複合機１００への電力の供給を一部遮断させて処理を終了する（図７：Ｓ１０５ＮＯ→Ｓ１１１）。
【００４７】
（その他）
認証手段６１０がユーザを認証した後、画像形成手段６０８により行われるジョブ（コピー等）に応じたジョブ情報をカードＣに書き込む構成としてもよい。例えば、以下のようなステップとすることができる。
【００４８】
すなわち、上記ステップＳ１０６で、ユーザが設定条件を入力し、スタートキー４０５を押下すると、画像形成手段６０８が、コピー等のジョブを開始する。更に、上記のようにスタートキー４０５が押下されると、演算手段が起動し、上記ジョブに応じたコピー枚数、課金等のジョブ情報を演算する。
【００４９】
次に、上記ステップＳ１０７で、画像形成手段６０８が、コピー等の操作（ジョブ）を終え、ユーザが操作部４００のログアウトキー４１０を押下すると、認証手段６１０が、ログアウトを受け付けて、ジョブが終了した旨を上記演算手段に通知する。上記通知を受けて演算手段は、上記演算したジョブ情報をカードリーダ５００に備えた書込手段に通知し、当該通知を受けて書込手段は、カードＣにジョブ情報を書き込む。
【００５０】
上記のように、書込手段がカードＣにジョブ情報を書き込むと、ステップＳ１０８で、当該書込手段は搬送手段５０２にカードＣを排出する旨指示する。後の説明は上記と同じなので省略する。
【００５１】
搬送手段５０２がカードＣを搬送する方法として、例えば、図５（Ｂ）に示すような、カードリーダ５００のカード収容部５１０に設けた正逆回転可能なローラ５２０を回転させることによって、当該ローラ５２０でカードＣを搬送させることができる。
【００５２】
カードリーダ５００のその他の実施形態として、図８に示すように下部基体５３０と上部基体５４０間に圧電素子を挟むことでカードリーダ５００を構成してもよい。下部基体５３０を複合機１００に固定させて、上部基体５４０には読取手段５０４を設けることで、カードＣで上部基体５４０を押圧することで、圧電素子が上部基体５４０と下部基体５３０から外力を受けて電圧を発生する。図に示す矢印は、カードＣを上記カードリーダ５００に接触させることで上部基体５４０を押圧する状態を示している。この場合、圧電素子はカードＣで押圧される場合のみ、上記検知手段６０１にＯＮ信号を送信する。そして、上記と同様にして、複合機１００はスリープ状態から復帰し、カードリーダが通電状態となるように構成される。その後、上部基体５４０に設けた読取手段５０４がカードＣに記憶されたユーザＩＤを取得し、複合機１００の認証手段６１０が、当該ユーザＩＤと、ユーザＩＤテーブル記憶手段６０６に記憶されたユーザＩＤテーブルとに基づいてユーザを認証（ログイン）する。ログアウトの場合は、まず、操作部４００に備えたログアウトキー４１０をユーザが押下する、若しくは、コピー等のジョブがされない時間が所定時間経過することで、認証手段６１０がログアウトを受け付ける。次に、認証手段６１０が電力供給制御手段６０４にログアウトの旨を通知し、これを受けて、電力供給制御手段６０４が電力供給手段６０９に複合機１００をアクティブ状態からスリープ状態に切り替えるように構成することができる。
【００５３】
本発明は、画像形成装置の他、カードリーダに電力を供給することが可能な電子機器に対して適用可能であり、当該カードリーダが使用されていない場合に、カードリーダのＵＳＢを介した電源からの電力供給を遮断させた状態で、電子機器をスリープ状態にさせることができる。
【産業上の利用可能性】
【００５４】
本発明を利用すると、カードリーダが使用されない場合に、カードリーダのＵＳＢを介した電源からの電力供給を遮断して、画像形成装置をスリープ状態にすることができ、カードリーダにカードを挿入または接触させた場合に、画像形成装置のスリープ状態を解除させることができる。したがって、その産業上の利用可能性は大きい。
【符号の説明】
【００５５】
１００  複合機
４００  操作部
５００  カードリーダ
５０１  スイッチ
６０１  検知手段
６０４  電力供給制御手段
６０９  電力供給手段
【図１】
2010183258.tif 000003
【図２】
2010183258.tif 000004
【図３】
2010183258.tif 000005
【図４】
2010183258.tif 000006
【図５】
2010183258.tif 000007
【図６】
2010183258.tif 000008
【図７】
2010183258.tif 000009
【図８】
2010183258.tif 000010